(57)【要約】      （修正有）【課題】上下一体型パック鏡餅を、独身部屋や車内などに簡単に飾り付けでき、しかも脱落や転倒を確実に回避して安定且つ安全に設置することができる新たな鏡餅を提供する。【解決手段】矩形平板型ベース２０中央より鏡餅形収納部２１を上向き膨出し、餅食品２６を収納した鏡餅型容器２を有し、該矩形平板型ベース２０と略同じ外郭寸法に設定した複数枚の矩形状面部からなり、同矩形平板型ベース２０を隠蔽状に外装可能であって、上面中央に鏡餅形収納部２１を露出可能とする装着孔ａ，ｅを穿孔し、後端左右角付近の適所に平面形Ｗ字状に折曲、立ち上げ可能な屏風体３２を一体化した装飾台本体３を設け、台座部分後端縁３０に上下から挟着可能なクリップ４０と、該クリップ４０に自在継ぎ手４１を介して一体化した定着体４２とからなる姿勢可変型仮固定具４を組み合わせてなる鏡餅セット１である。【選択図】図１０
0003140227.tif 000002
【実用新案登録請求の範囲】
【請求項１】
矩形平板型ベース中央より鏡餅形収納部を上向き膨出して餅食品を収納した鏡餅型容器と、該矩形平板型ベースと略同じ外郭寸法に設定した複数枚の矩形状面部からなり、同矩形平板型ベースを隠蔽状に外装可能であって、上面中央に鏡餅形収納部を露出可能とする装着孔を穿孔し、後端左右角付近の適所に屏風体を組み込んだ装飾台本体と、組み立て状態にある該装飾台本体の屏風体より後方に露出する当該鏡餅型容器矩形平板型ベースおよび各矩形状面部同士の積層構造からなる台座部分後端縁を挟着可能なクリップに自在継ぎ手を介して定着体が一体化されてなる姿勢可変型仮固定具との組み合わせからなるものとしたことを特徴とする鏡餅セット
【請求項２】
矩形平板型ベース中央より鏡餅形収納部を上向き膨出し、該収納部中に餅食品を収納した鏡餅型容器と、該矩形平板型ベースと略同じ外郭寸法に設定した複数枚の矩形状面部からなり、同矩形平板型ベースを隠蔽状に外装可能であって、上面中央に鏡餅形収納部を露出可能とする装着孔を穿孔し、後端左右角付近の適所に略垂直に立ち上げ可能な屏風体を組み込んだ装飾台本体と、組み立て状態にある該装飾台本体の屏風体より後方に露出する当該鏡餅型容器矩形平板型ベースおよび各矩形状面部同士の積層構造からなる台座部分後端縁を挟着可能なクリップに自在継ぎ手を介して定着体が一体化されてなる姿勢可変型仮固定具との組み合わせからなるものとしたことを特徴とする鏡餅セット。
【請求項３】
矩形平板型ベース中央より鏡餅形収納部を上向き膨出し、該収納部中に餅食品を衛生的に収納した鏡餅型容器と、該矩形平板型ベースと略同じ外郭寸法に設定した複数枚の矩形状面部からなり、同矩形平板型ベースを隠蔽状に外装可能であって、上面中央に鏡餅形収納部を露出可能とする装着孔を穿孔し、後端左右角付近の適所に平面形Ｖ字型の連続形状に折曲して略垂直に立ち上げ可能な屏風体を一体化した装飾台本体とを有し、組み立て状態にある該装飾台本体の屏風体より後方に露出する当該鏡餅型容器矩形平板型ベースおよび各矩形状面部同士の積層構造からなる台座部分後端縁に上下から挟着可能なクリップと、該クリップに自在継ぎ手を介して一体化した定着体とからなる姿勢可変型仮固定具を組み合わせてなるものとしたことを特徴とする鏡餅セット。
【請求項４】
矩形平板型ベース中央より鏡餅形収納部を上向き膨出し、該収納部中に餅食品を衛生的に収納した鏡餅型容器と、当該矩形平板型ベースと略同じ外郭寸法に設定した平板形状の中央に鏡餅形収納部が上向き貫通可能な装着孔を穿孔してなる屏風立設面部を設け、該屏風立設面部の鏡餅背景がわとなる後左右角の何れか一方付近に、同屏風立設面部に平面形Ｖ字型の連続形状に折曲して略垂直に立ち上げ可能な屏風体の基端左右幅の何れか対応する一方端縁を一体化し、該屏風体の基端左右幅の何れか他方端縁に、該屏風立設面部の後左右角の何れか他方付近に結合可能な連結脚部を一体形成すると共に、該屏風立設面部の左右何れか一方辺には、当該鏡餅型容器ベースと略同じ外郭寸法に設定した平板形状であって当該鏡餅型容器ベース裏面に接合するよう同屏風立設面部に対し１８０度折り曲げ可能とし、中央適所に封止用スリットが穿孔された底蓋面部の対応する一辺を一体化した上、該底蓋面部の屏風立設面部が繋がる辺とは反対がわとなる辺に、当該矩形平板型ベースと略同じ外郭寸法に設定した平板形状であって同底蓋面部に対し１８０度折り曲げ可能とし、中央に鏡餅形収納部が上向き貫通可能な装着孔を穿孔してなる屏風立設面部隠蔽用の装飾面部の対応する一辺を一体化し、該装飾面部の底蓋面部が繋がる辺とは反対がわとなる辺に、同装飾面部に対し１８０度折り曲げ可能とし、遊端がわに当該底蓋面部封止用スリットに差込み可能な係合爪を形成した封止面部の対応する一辺を一体化する一方、該装飾面部の前辺には、当該矩形平板型ベースと略同じ外郭寸法に設定した平板形状であって同装飾面部に対し１８０度折り曲げ可能な底外装面部の対応する一辺を一体化してなる装飾台本体とを有し、組み立て状態にある該装飾台本体の屏風体より後方に露出する当該鏡餅型容器矩形平板型ベースおよび各面部同士の積層構造からなる台座部分後端縁を挟着可能なクリップと、該クリップに自在継ぎ手を介して一体化した定着体とからなる姿勢可変型仮固定具を組み合わせてなるものとしたことを特徴とする鏡餅セット。
【請求項５】
鏡餅型容器は、矩形平板型ベース底面に鏡餅形収納部に通じる収納孔を開口し、該収納孔を通じて別途脱酸素状態に袋詰めされた餅食品を収納したものとし、該矩形平板型ベース底面の収納孔が、装飾台本体の装着によって施蓋されてなるものとした、請求項１ないし４何れか一項記載の鏡餅セット。
【請求項６】
装飾台本体は、その展開形状に裁断された一枚の厚紙からなるものとした、請求項１ないし５何れか一項記載の鏡餅セット。
【請求項７】
屏風体は、平面形Ｗ字状に折曲して略垂直に立ち上げるよう組み立てられた場合の下端縁中央付近に、鏡餅型容器、鏡餅形収納部への接触を回避可能とする切欠部を形成してなるものとした、請求項１ないし６何れか一項記載の鏡餅セット。
【請求項８】
鏡餅型容器は、鏡餅形収納部の上端中央に着脱機構を介して疑似橙を着脱自在に連結してなるものとした、請求項１ないし７何れか一項記載の鏡餅セット。
【請求項９】
装飾台本体に組み込んだ鏡餅型容器と姿勢可変型仮固定具とを同一の透明包装袋に収容、包装してなるものとした、請求項１ないし８何れか一項記載の鏡餅セット。                                                                        
【考案の詳細な説明】
【技術分野】
【０００１】
この考案は、正月や吉例に神仏に供えられる鏡餅に関するものであり、特に上下一体型の樹脂パック鏡餅を製造する分野は勿論のこと、その包装、輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                      
【背景技術】
【０００２】
（着目点）
正月飾りとして家庭内に供えられる鏡餅は近年、上下一体型のプラスチック製容器中に餅を充填したものや、同様のプラスチック容器中に、個分け包装された餅を収納したものなどが、餅の衛生的な長期保存が可能且つ装飾品として取り扱う上で便利であるなどの理由から広く普及するようになっており、例えば後記する実用新案登録文献１（１）に掲載されている考案のように、透明のパッケージ内に餅を装填した鏡餅包装体頂面の中央部に支持突起を一体に設け、この支持突起に、疑似橙の底面にあけた差込孔を抜差自在に差込み、鏡餅包装体の頂面に疑似橙を着脱可能に取り付けた「飾り付き包装鏡餅」や、同実用新案登録文献１（２）に示されている「包装鏡餅」考案に見られるとおりの、鏡餅形状の包装体本体の表面に形成した突出部に、その基部よりも先端部側に、径方向に、基部の周部よりも部分的に張り出した係止部を形成し、装飾体である疑似橙には、係止部を含む突出部の断面形状に適合する開口部を設け、疑似橙に突出部を挿入後回すことにより、疑似橙を鏡餅形状の包装体本体に取り付け可能としなるものなど、鏡餅型樹脂製容器の上端に樹脂製の疑似橙や疑似伊勢海老などを装着したり、紅白の御幣や末広扇を加えて装飾性と付加価値とを高めたものが多数、既に開発されている。
【０００３】
さらに、こうした上下一体型パック鏡餅は、実用新案登録文献１（３）のように、一体形餅、切り餅、丸餅を挿入する開口を有する重ね餅形状の合成樹脂容器内に、一体形餅、切り餅、丸餅を詰め入れて封をし、この重ね餅形状の合成樹脂容器の重ね部に水引を取り付けた飾り重ね鏡餅であって、この飾り鏡重ね餅を紙製三方皿台に載せると共に、同鏡餅の背面及び両側面に一枚の屏風を三方皿台に設け、天井面および前面には個々に独立した透明な窓を備える紙箱体に収納した「飾り重ね鏡餅」考案や、同実用新案登録文献１（４）に示されている「鏡餅包装体」考案に見られるとおりの、鏡餅状容器を載せ置いた台の下面に折り畳みにより偏平形態とした三方用脚を重ね合わせ、この三方用脚における伸長方向に対応する二面の側面板の内の一方の側面板を台に連結して、偏平形態の三方用脚が連結部分を中心にして台下方に回動可能に設けられたものとし、収納箱から台を取り出して台下方に引き降ろされたときの偏平形態の三方用脚が、台の下面に沿った方向に伸長できる構成としたものなど、包装箱を兼ねた三方台を有する鏡餅も相次いで開発されている。
【０００４】
また、こうした上下一体型パック鏡餅は、その取扱いの手軽さから、一般家庭のキッチンやリビングルーム、玄関などの家具やテレビその他の家電品上の外、会社事務所や工場などあらゆる場所に供えられるようになってきており、特に若い世代にあっては独身部屋やマイカー、トイレなどプライベートな空間に飾り付けるというような工夫をして楽しむ顧客層が増加している。しかしながら、従来型のパック鏡餅は、自動車室内のインスツルメントパネル周辺や、工場に設置された自動機械などへ安定して固定できるようなものがなく、利用者が自ら両面粘着テープを用いたり、面ファスナーを装着するなどして取り付け、利用しているというのが実情であった。
【０００５】
（従来の技術）
そうしたニーズに応えようとして、例えば、後記する実用新案登録文献１（５）に掲載されている考案のように、絵馬状飾り板に、鏡餅形状の容器に餅を収容してなる鏡餅状包装物が配置可能な大きさの開口部を設け、絵馬状飾り板に掛け止められた吊り紐を頭頂部に有する透明な保持部材が鏡餅状包装物を保持し、鏡餅状包装物を開口部内に吊支状態にして配置したものとした「鏡餅包装体」や、同実用新案登録文献１（６）に示されている「飾り吊具」考案に見られるとおりの、台座上に祝い餅を載置し、この台座と祝い餅とを被膜状フィルムより少し厚手のシート状の透明板を使用して包装して祝い餅包装体を形成し、この祝い餅包装体の上部に商品名やＰＲ文を表示した吊板を付設し、該吊板に吸盤またはキーホルダーなどによる吊下具を装着してなるもののように、室内の壁や車内など、何処にでも簡単に吊して飾り付けできるように改良されたものが多数、散見される。
しかし、従前までの吊り下げ型の上下一体型パック鏡餅は何れも、吊下げ強度や車内に吊り下げた場合の視界の確保などを考慮し、例えばキーホルダーのように小型なものとしなければならならないなど、本来の鏡餅とは大きく異なる外観となってしまうという欠点をもっていた。
【０００６】
【特許文献１】（１）特開２００２−２５５２７０号公報    （２）特開２００２−１５３３７４号公報    （３）特開２００２−４５２９１号公報    （４）特開２００６−２７６８６号公報    （５）特開２００１−９５５１３号公報    （６）特開平９−１０３３５７号公報
【考案の開示】
【考案が解決しようとする課題】
【０００７】
（問題意識）
上述したとおり、従前までに提案のある各種上下一体型パック鏡餅は、安定した家具や家電などの水平面上に載置して飾り付けられるように設定されたものが殆どであり、車内や工業用ロボットなどのように、水平面を持たないものや、角度や姿勢が変化する移動部分などに飾り付けできるものは、吊り下げ型のものに留まり、簡単に着脱できるよう装着、固定可能なものは未だ存在しないという状況にある。
【０００８】
（考案の目的）
そこで、この考案は、上下一体型パック鏡餅を、独身部屋や車内などに簡単に飾り付けでき、しかも脱落や転倒を確実に回避して安定且つ安全に設置することができる新たな鏡餅の開発はできないものかとの判断から、逸速くその開発、研究に着手し、長期に渡る試行錯誤と幾多の試作、実験とを繰り返してきた結果、今回、遂に新規な構造の鏡餅セットを実現化することに成功したものであり、以下では、図面に示すこの考案を代表する実施例と共に、その構成を詳述することとする。                                                                            
【課題を解決するための手段】
【０００９】
（考案の構成）
図面に示すこの考案を代表する実施例からも明確に理解されるように、この考案の鏡餅セットは、基本的に次のような構成から成り立っている。
即ち、    矩形平板型ベース中央より鏡餅形収納部を上向き膨出して餅食品を収納した鏡餅型容器と、該矩形平板型ベースと略同じ外郭寸法に設定した複数枚の矩形状面部からなり、同矩形平板型ベースを隠蔽状に外装可能であって、上面中央に鏡餅形収納部を露出可能とする装着孔を穿孔し、後端左右角付近の適所に屏風体を組み込んだ装飾台本体と、組み立て状態にある該装飾台本体の屏風体より後方に露出する当該鏡餅型容器矩形平板型ベースおよび各矩形状面部同士の積層構造からなる台座部分後端縁を挟着可能なクリップに自在継ぎ手を介して定着体が一体化されてなる姿勢可変型仮固定具との組み合わせからなるものとした構成を要旨とする鏡餅セットである。
【００１０】
この基本的な構成にこの考案の鏡餅セットは、より具体的には、矩形平板型ベース中央より鏡餅形収納部を上向き膨出し、該収納部中に餅食品を収納した鏡餅型容器と、該矩形平板型ベースと略同じ外郭寸法に設定した複数枚の矩形状面部からなり、同矩形平板型ベースを隠蔽状に外装可能であって、上面中央に鏡餅形収納部を露出可能とする装着孔を穿孔し、後端左右角付近の適所に略垂直に立ち上げ可能な屏風体を組み込んだ装飾台本体と、組み立て状態にある該装飾台本体の屏風体より後方に露出する当該鏡餅型容器矩形平板型ベースおよび各矩形状面部同士の積層構造からなる台座部分後端縁を挟着可能なクリップに自在継ぎ手を介して定着体が一体化されてなる姿勢可変型仮固定具との組み合わせからなるものとした構成からなる鏡餅セットということができる。
【００１１】
これを、換言すれば、矩形平板型ベース中央より鏡餅形収納部を上向き膨出し、該収納部中に餅食品を衛生的に収納した鏡餅型容器と、該矩形平板型ベースと略同じ外郭寸法に設定した複数枚の矩形状面部からなり、同矩形平板型ベースを隠蔽状に外装可能であって、上面中央に鏡餅形収納部を露出可能とする装着孔を穿孔し、後端左右角付近の適所に平面形Ｖ字型の連続形状に折曲して略垂直に立ち上げ可能な屏風体を一体化した装飾台本体とを有し、組み立て状態にある該装飾台本体の屏風体より後方に露出する当該鏡餅型容器矩形平板型ベースおよび各矩形状面部同士の積層構造からなる台座部分後端縁に上下から挟着可能なクリップと、該クリップに自在継ぎ手を介して一体化した定着体とからなる姿勢可変型仮固定具を組み合わせてなるものとした鏡餅セットといえる。
【００１２】
そして、この考案の鏡餅セットには、矩形平板型ベース中央より鏡餅形収納部を上向き膨出し、該収納部中に餅食品を衛生的に収納した鏡餅型容器と、当該矩形平板型ベースと略同じ外郭寸法に設定した平板形状の中央に鏡餅形収納部が上向き貫通可能な装着孔を穿孔してなる屏風立設面部を設け、該屏風立設面部の鏡餅背景がわとなる後左右角の何れか一方付近に、同屏風立設面部に平面形Ｖ字型の連続形状に折曲して略垂直に立ち上げ可能な屏風体の基端左右幅の何れか対応する一方端縁を一体化し、該屏風体の基端左右幅の何れか他方端縁に、該屏風立設面部の後左右角の何れか他方付近に結合可能な連結脚部を一体形成すると共に、該屏風立設面部の左右何れか一方辺には、当該鏡餅型容器ベースと略同じ外郭寸法に設定した平板形状であって当該鏡餅型容器ベース裏面に接合するよう同屏風立設面部に対し１８０度折り曲げ可能とし、中央適所に封止用スリットが穿孔された底蓋面部の対応する一辺を一体化した上、該底蓋面部の屏風立設面部が繋がる辺とは反対がわとなる辺に、当該矩形平板型ベースと略同じ外郭寸法に設定した平板形状であって同底蓋面部に対し１８０度折り曲げ可能とし、中央に鏡餅形収納部が上向き貫通可能な装着孔を穿孔してなる屏風立設面部隠蔽用の装飾面部の対応する一辺を一体化し、該装飾面部の底蓋面部が繋がる辺とは反対がわとなる辺に、同装飾面部に対し１８０度折り曲げ可能とし、遊端がわに当該底蓋面部封止用スリットに差込み可能な係合爪を形成した封止面部の対応する一辺を一体化する一方、該装飾面部の前辺には、当該矩形平板型ベースと略同じ外郭寸法に設定した平板形状であって同装飾面部に対し１８０度折り曲げ可能な底外装面部の対応する一辺を一体化してなる装飾台本体とを有し、組み立て状態にある該装飾台本体の屏風体より後方に露出する当該鏡餅型容器矩形平板型ベースおよび各面部同士の積層構造からなる台座部分後端縁を挟着可能なクリップと、該クリップに自在継ぎ手を介して一体化した定着体とからなる姿勢可変型仮固定具を組み合わせてなる鏡餅セットが包含される。                                                                                          
【考案の効果】
【００１３】
以上のとおり、この考案の鏡餅セットによれば、従前までは、上下一体型パック鏡餅を室内の不安定な場所や車内などに飾り付けする場合には、市販の吊り下げ紐や吸盤などが敷設された鏡餅を購入するか、または、顧客自ら両面粘着テープを準備したり、面ファスナーを用いたりして所望の場所に貼着、固定するというような作業を要するものであり、適切に設置できず希望の場所に固定できないなどの欠点があったが、矩形平板型ベース中央より鏡餅形収納部を上向き膨出し、該収納部中に餅食品を衛生的に収納した鏡餅型容器を有するものとし、該矩形平板型ベースと略同じ外郭寸法に設定し、同矩形平板型ベースを隠蔽状に外装可能とした複数枚の矩形状面部からなり、上面中央に鏡餅形収納部を露出可能とする装着孔を穿孔し、後端左右角付近の適所に略垂直に立ち上げ可能な屏風体を一体化した装飾台本体を設けた上、組み立て状態にある該装飾台本体の屏風体より後方に露出する台座部分後端縁に上下から挟着可能なクリップと、該クリップに自在継ぎ手を介して一体化した定着体とからなる姿勢可変型仮固定具を組み合わせてなるものとし、姿勢可変型仮固定具定着体を、所望する個所に簡便に装着し、同姿勢可変型仮固定具クリップに、当該装飾台本体と鏡餅型容器矩形平板型ベースとの各矩形状面部同士の積層構造からなる台座部分後端縁を挟着し、簡単且つ確実に固定することができ、しかも同姿勢可変型仮固定具、自在継ぎ手部分を曲げ、捩りなど調節することによって装飾台本体の支持姿勢を自由に変更、調節することが可能となり、希望の姿勢に簡単に仮固定することができ、従前には全く飾り付け不可能だった場所にも簡便且つ安全に飾り付けできるようになるという秀れた特徴が得られるものである。
【００１４】
加えて、当該装飾台本体に、鏡餅型容器の矩形平板型ベースと略同じ外郭寸法に設定した平板形状の中央に鏡餅形収納部が上向き貫通可能な装着孔を穿孔してなる屏風立設面部を設けたものは、鏡餅型容器の矩形平板型ベース上面に接合するよう確りと組合せ、装着することができ、該屏風立設面部の鏡餅背景がわとなる後左右角の何れか一方付近に、同屏風立設面部に略垂直に立ち上げ可能な屏風体、望ましくは平面形Ｖ字型の連続形状に折曲形成した屏風体の基端左右幅の何れか対応する一方端縁を一体化し、該屏風体の基端左右幅の何れか他方端縁に、該屏風立設面部の後左右角の何れか他方付近に結合可能な連結脚部を一体化、形成したものは、屏風体を充分な強度で立設できるものとすることができる。
【００１５】
さらに、この屏風立設面部の左右何れか一方辺に、当該鏡餅型容器ベースと略同じ外郭寸法に設定した平板形状であって当該鏡餅型容器ベース裏面に接合するよう同屏風立設面部に対し１８０度折り曲げ可能とし、中央適所に封止用スリットが穿孔された底蓋面部の対応する一辺を一体化したものは、鏡餅型容器ベースに開口する収納孔を施蓋するものとなり、脱酸素状態に包装された餅食品を収納した場合など、同収納孔の密閉作業が不要になり、生産性を格段に高めることができる。
【００１６】
また、当該底蓋面部の屏風立設面部が繋がる辺とは反対がわとなる辺に、当該矩形平板型ベースと略同じ外郭寸法に設定した平板形状であって同底蓋面部に対し１８０度折り曲げ可能とし、中央に鏡餅形収納部が上向き貫通可能な装着孔を穿孔してなる、屏風立設面部隠蔽用の装飾面部の対応する一辺を一体化したものは、屏風体の連結脚部結合部分などを含む当該屏風立設面部の上面全体を隠蔽状として外観を一段と向上することができる。
【００１７】
そして、当該装飾面部の底蓋面部が繋がる辺とは反対がわとなる辺に、同装飾面部に対し１８０度折り曲げ可能とし、遊端がわに当該底蓋面部封止用スリットに差込み可能な係合爪を形成した封止面部の対応する一辺を一体化する一方、該装飾面部の前辺には、当該矩形平板型ベースと略同じ外郭寸法に設定した平板形状であって同装飾面部に対し１８０度折り曲げ可能な底外装面部の対応する一辺を一体化してなるものは、該封止面部の係合爪を底蓋面部封止用スリットに差込むことで粘着剤や粘着テープその他を用いた封止構造を不要とし、より経済的に組立て可能なものとすることができ、該係合爪と底蓋面部封止用スリットとの連結部分を底外装面部で隠蔽して左右縁および前縁部分を含め裏面に至るまで一層スッキリとした外観を確保できるものとすることができる。
【００１８】
装飾台本体を、その展開形状に裁断された一枚の厚紙からなるものとしたものでは、部品点数を大幅に削減すると共に、組み立て工程における接着剤や粘着剤その他のステープラーなどの使用を大幅に削減することができ、製造から販売、購入、使用、廃棄、リサイクル処理に至る各段階のゴミの発生量を最小限に留め、自然環境に優しく、経済的にも秀れた商品として製造することができるものとなる。
【００１９】
屏風体、例えば平面形Ｗ字状に折曲して略垂直に立ち上げるよう組み立てられた屏風体の場合の下端縁中央付近に、鏡餅型容器、鏡餅形収納部への接触を回避可能とする切欠部を形成してなるものでは、鏡餅型容器の鏡餅形収納部に寄り近い位置に屏風体を設置することが可能となり、矩形平板型ベースに比べて鏡餅形収納部を大きく設定することができ、従来型のものに比較して狭い設置スペースに、より大きな鏡餅を飾り付けできるものとすることができる。
【００２０】
鏡餅型容器鏡餅形収納部の上端中央に着脱機構を介して疑似橙を着脱自在に連結してなるものとしたものは、当該装飾台本体の装着孔が穿孔された矩形状面部に、鏡餅形収納部を貫通状に装着する作業中に、疑似橙が干渉して作業を妨げないよう疑似橙非装着状態で組立、包装作業を行い、装飾台本体の組立を終えた後に、疑似橙を装着することで作業効率を大幅に改善することができるという利点が得られる上、疑似橙の代わりに、疑似伊勢海老や末広、獅子頭、その他のキャラクター品やマスコットなどを装着することができ、商品のバリエーションを増やしたり、交換部品を追加したりするなどして、さらに多様なニーズに応えることのできる商品を提供することができるものとなる。
【００２１】
そして、装飾台本体に組み込んだ鏡餅型容器と姿勢可変型仮固定具とを同一の透明包装袋に収容、包装してなるものは、各部品を埃や汚れなどの付着から保護することができると共に、部品がバラバラになるのを防止して、商品内容を一目で確認することができるという利点が得られ、輸送や販売に有利であるという特徴を発揮するものとなる。                                          
【考案を実施するための最良の形態】
【００２２】
上記したとおりの構成からなるこの考案の実施に際し、その最良もしくは望ましい形態について説明を加えることにする。
鏡餅型容器は、上下複数段重ねの鏡餅、より具体的には二段または三段重ねの鏡餅に似せた外観を呈すると共に、鏡餅形状の内側に餅食品を充填したものか、または、適宜脱酸素状態に包装された餅食品を、安全且つ衛生的に収納可能とする機能を果たすものであり、矩形平板型ベース中央より鏡餅形収納部を上向き膨出し、該収納部中に餅食品を衛生的に収納してなるものとしなければならず、その素材は主として低密度ポリエチレン、高密度ポリエチレン、ポリプロピレン、塩化ビニリデン、発泡ポリスチレン、その他の合成樹脂成型品とすることができるが、缶詰用の金属板成型品や、陶磁器、ガラス、琺瑯製品、または、ワックス処理紙やアルミ箔と複合した食品用加工紙成形品などとすることが可能であり、後述する実施例に示すように、矩形平板型ベース底面に鏡餅形収納部に通じる収納孔を開口し、該収納孔を通じて別途脱酸素状態に袋詰めされた餅食品を収納したものとすることができる。
【００２３】
矩形平板型ベースは、鏡餅形収納部を装飾台本体に一体化可能とすると共に、鏡餅形収納部を転倒せずに安定的に支持可能とする機能を果たすものであり、組立状態にある装飾台本体内に装着した場合に、屏風体より後方に露出する台座部分後端縁間に積層状に内在し、姿勢可変型仮固定具クリップに挟着、保持される寸法、形状に設定されたものとし、装飾台本体、鏡餅型容器およびそれに収容された餅食品を安全に支持できる程度の強度を有するものとしなければならず、鏡餅形収納部を転倒しないよう安定的に支持できる程度に充分な矩形状面積を確保したものとすべきである。
【００２４】
鏡餅形収納部は、複数段重ねの鏡餅、例えば二段または三段重ねの鏡餅の外観形状を呈すると共に、収納孔を除く外周壁が、その内部空間を衛生的に保護するものとなり、充填または収納された餅食品を埃や外気などから保護可能とする機能を果たし、透明な合成樹脂製またはガラス製などからなるものとして充填された餅食品それ自体の色によって鏡餅の外観を得るものとすることが可能である外、後述する実施例に示すように、内部を透視できないよう白色または上下段を紅白に色分けするなどした着色によって鏡餅の外観を得るようにしたものとすることができ、さらに、餅食品の長期的保存を考慮すると、着色の有無に拘わらず、太陽光の紫外線や赤外線をカットできるようにしたものとするのが望ましい。
【００２５】
また、鏡餅形収納部の上端中央に設けた着脱機構は、疑似橙を着脱自在に連結可能とし、また疑似橙以外の疑似伊勢海老や末広など、多様な装飾用部品類を着脱または交換可能とする機能を果たすものとなり、疑似橙の底部を確りと仮固定可能とするものであって、しかも必要に応じて容易に着脱できるものとしなければならず、後述する実施例に示すように、鏡餅形収納部の上端中央に突設した円柱状突部の先端外周に複数の嵌合用突起を形成し、疑似橙底部に円柱状突部に嵌着可能な嵌着孔を開口したものとすることができる外、これとは逆に鏡餅形収納部の上端中央に、円柱状有底穴を穿設し、疑似橙底部に嵌着用の円柱状突部を形成したものとすることが可能である外、鏡餅形収納部の上端中央に雄ネジを立設し、疑似橙底部に雌ネジを形成して螺着、結合可能としたものなど、様々な着脱構造を用いたものとすることができる。
【００２６】
餅食品は、鏡餅型容器鏡餅形収納部中に充填または収納されて実質的な鏡餅の役目を果たすという機能を果たすものであり、鏡割りのときには、鏡餅形収納部内から簡単に取り出して、外のパック餅食品と同様に調理して食することができるものとしなければならず、鏡餅形収納部中に真空パックされたものとすることができる外、後述する実施例に示すように、脱酸素状態に個分け真空パック、または袋詰めされた餅とすることが可能であり、このような包装が施された小さな鏡餅を複数個収納したものや、紅白の餅を混在するよう収納したものなど、多様な包装状態に設定することが可能である。
【００２７】
装飾台本体は、鏡餅型容器の矩形平板型ベース部分を正月飾りに相応しい外的美観が得られるよう隠蔽、装飾すると共に、鏡餅型容器の背景となる適所に屏風体を立設、保持して装飾性を高めるものとなり、少なくとも矩形平板型ベースの鏡餅形収納部を除く上面、および左右前縁、望ましくは下面の略全体を含む範囲を隠蔽状に包装、可能なものとし、組立状態で各矩形状面部同士の積層からなる台座部分後端縁が、屏風体より後方に露出するものとして姿勢可変型仮固定具クリップに確実に挟着可能なものとしなければならず、生産性や歩留まり、経済性、リサイクル処理など多方面への効果を考慮すると、後述する実施例に示すように、展開形状に裁断された一枚の厚紙からなるものとするのが望ましいが、その外、合成樹脂製シートや金属箔などを展開形状に裁断したものからなるものとすることが可能であり、また、パルプ成型品や合成樹脂成型品、あるいはそれらの組み合わせなどからなるものとすることができる。
【００２８】
屏風立設面部は、鏡餅型容器の鏡餅形収納部を除く矩形平板型ベース上面に、接合状に装着され、屏風体を充分な強度で支持可能とする機能を果たすものであり、当該矩形平板型ベースと略同じ外郭寸法に設定した平板形状の中央に鏡餅形収納部が上向き貫通可能な装着孔を穿孔してなるものとしなければならず、該屏風立設面部の鏡餅背景がわとなる後左右角の何れか一方付近に、屏風体の基端左右幅の何れか対応する一方端縁を一体化したものとすべきであり、屏風体を別体のものとして後付して組み立てるようにして歩留まりを高めたものとすることができる。また、装着孔は、鏡餅形収納部の下段鏡餅の外径寸法より僅かに大きく設定された円形状のものとすることができる外、星形や花形のような装飾性を高めた形状に設定することが可能である。
【００２９】
屏風体は、組立状態の装飾台本体に鏡餅型容器を組み込んだ場合、鏡餅型容器の背景となる適所に屏風部分を形成可能とする機能を果たすものであって、望ましくは屏風立設面部よりも左右幅寸法を大きく設定したシート状に形成され、所定幅寸法毎の垂直線上に、平面形Ｖ字型の連続形状に折曲したものとすべきであり、鏡餅型容器に疑似橙を装着した高さより充分に高い縦寸法に設定すべきであり、後述する実施例に示すように、基端左右幅の何れか対応する一方端縁を屏風立設面部の鏡餅背景がわとなる後左右角の何れか一方付近に一体化したものとし、同基端左右幅の何れか他方端縁に、該屏風立設面部の後左右角の何れか他方付近に結合可能な連結脚部を一体化、形成してなるものとするのがよく、連結脚部または屏風立設面部の同連結脚部連結個所の何れか一方に、粘着剤を塗布するか、または両面粘着テープを貼着したものとして粘着、結合可能なものとすることができる外、何れか一方にスリットを形成し、他方に差込爪を設けて差込結合可能なものとすることが可能であり、略垂直に立ち上げるよう組み立てられたものの下端縁中央付近に、鏡餅型容器、鏡餅形収納部への接触を回避可能とする切欠部を形成してなるものとするのが望ましく、表面に祝い事に相応しい模様や干支、縁起物の絵や文字、デザインまたは写真などを表示したものとすることができる。
【００３０】
底蓋面部は、鏡餅型容器矩形平板型ベース裏面に接合状となって鏡餅形収納部収納孔を閉鎖可能とすると共に、その中央適所に封止面部係合爪を差込み連結可能とする機能を果たすものであり、当該屏風立設面部の左右何れか一方辺に一体に結合されたものとし、当該鏡餅型容器ベースと略同じ外郭寸法に設定した平板形状であって当該鏡餅型容器ベース裏面に接合するよう同屏風立設面部に対し１８０度折り曲げ可能とし、中央適所に封止用スリットが穿孔されたものとしなければならない。
【００３１】
装飾面部は、当該屏風立設面部の屏風体連結脚部の連結部分を含む上面範囲に接合状に装着されたものとなり、それらを隠蔽且つ装飾する機能を果たすものであり、該底蓋面部の屏風立設面部が繋がる辺とは反対がわとなる辺に、対応する一辺を一体化し、当該矩形平板型ベースと略同じ外郭寸法に設定した平板形状であって同底蓋面部に対し１８０度折り曲げ可能とし、中央に鏡餅形収納部が上向き貫通可能な装着孔を穿孔してなるものとしなければならず、祝い事に相応しい模様や干支、縁起物の絵や文字、デザインまたは写真などを表示したものとすることができる。
【００３２】
封止面部は、装飾面部の底蓋面部に一体化したのとは反対がわの辺を、屏風立設面部の対応する辺に外がわから接合するよう重ね合わせ状とし、さらに、該底蓋面部封止用スリットに係合して自らも底蓋面部に重なり合い状態に固定されたものとなって当該装飾台本体を鏡餅型容器矩形平板型ベースに対し、実施的に包装、一体化する機能を果たし、該装飾面部の底蓋面部が繋がる辺とは反対がわとなる辺に、同装飾面部に対し１８０度折り曲げ可能とし、遊端がわに当該底蓋面部封止用スリットに差込み可能な係合爪を形成したものとしなければならず、後述するように、該係合爪の基部両縁には夫々抜け留め用の鈎状凸部を一体化したものとするのが望ましい。
【００３３】
底外装面部は、封止用スリットを形成した底蓋面部と、それに重なる係合爪を有した封止面部との双方に外側から重なり、隠蔽状に包装可能とする機能を果たすものであり、当該装飾面部の前辺に対応する一辺を一体化してなり、当該矩形平板型ベースと略同じ外郭寸法に設定した平板形状であって同装飾面部に対し１８０度折り曲げ可能に形成されたものとしなければならず、屏風体や装飾面部などと同様、祝い事に相応しい模様や干支、縁起物の絵、文字、デザイン、写真など様々なものや色彩を表示したものとすることができる。
【００３４】
姿勢可変型仮固定具は、鏡餅型容器を組み込んだ装飾台本体を、その屏風体より後方に露出する、鏡餅型容器矩形平板型ベースおよび各面部同士の積層からなる台座部分後端縁を着脱自在に挟持し、設置対象となる様々な物品に仮固定、吸着または粘着固定可能とすると共に、設置個所に対する装飾台本体およびそれに組み込まれた鏡餅型容器の支持姿勢を自由に変更、調節可能なものにするという機能を果たし、該台座部分後端縁を挟着可能なクリップと、同クリップに自在継ぎ手を介して一体化した定着体とからなるものとしなければならず、充分な支持強度を発揮できる素材および構造のものを採用すべきであり、装飾品に相応しい美しい外観をもつものを選択するのが望ましい。
【００３５】
クリップは、鏡餅型容器を組み込んだ装飾台本体の台座部分後端縁を挟着可能であって、十分な強度でそれらを支持するものとなり、しかも容易に開閉操作して着脱操作できるようにするという機能を果たし、後述する実施例に示すように挟着部分に軟質合成樹脂製または天然ゴム製などの滑り止めを装着したものを用いるのが望ましい。
【００３６】
自在継ぎ手は、クリップと定着体との互いの連結姿勢を自在に変形可能とすると共に、その姿勢および位置関係を、充分な強度で固定、支持可能とする機能を果たし、構造を簡素化して経済的なものとするには合成樹脂製、金属製その外のボールジョイントを採用すべきであり、継ぎ手部分に充分に強い摩擦力を有して高い支持力を得るものか、または、締め付ナットを有して、ナットを緩めて支持姿勢を調節し、ナットを締め付けて仮固定できるように設定されたものかの何れかを用いるのがよい。
【００３７】
定着体は、姿勢可変型仮固定具を設置対象個所に着脱自在に仮固定、または離脱不能に固着可能として、鏡餅型容器が組み込まれた装飾台本体を充分な強度で支持可能とする機能を果たすものであり、当該クリップと略同様のものとすることができる外、設置面部分に粘着剤を塗布したものや、両面粘着テープを貼着したもの、または、面ファスナーを貼着したものや吸盤、永久磁石からなるものなどとすることが可能であり、それらを適宜交換、可能なものとすることができる。
【００３８】
透明包装袋は、当該鏡餅型容器、およびそれを包装している装飾台本体ならびに姿勢可変型仮固定具を、外部から透視可能な状態に一つのパッケージに纏めて輸送、保管、販売可能とする機能を果たすものであり、それら全てを充分に包装可能な寸法、形状に設定された軟質または硬質の透明樹脂フィルム製のものとしなければならず、上部適所に店頭什器吊下げ用の吊り下げ孔かフックかの何れかを設けたものとするのがよい。
以下では、図面に示すこの考案を代表する実施例と共に、その構造について詳述することとする。                                                                                                                
【実施例１】
【００３９】
図１の展開状態にある装飾台本体の平面図、図２の疑似橙を装着する鏡餅型容器の斜視図、図３の餅食品を収納する鏡餅型容器の斜視図、図４の鏡餅型容器を屏風立設面部に組み込む装飾台本体の斜視図、図５の装飾面部を折り重ねる装飾台本体の斜視図、図６の封止面部を折り重ねる装飾台本体の斜視図、図７の底外装面部を折り重ねる装飾台本体の斜視図、図８の鏡餅型容器を組み込んだ装飾台本体の斜視図、図９の透明包装袋で包装した鏡餅セットの斜視図、図１０姿勢可変型仮固定具で挟持した装飾台本体の斜視図、図１１の姿勢可変型仮固定具を拡大した斜視図、図１２別の姿勢可変型仮固定具と組み合わせて透明包装袋で包装した鏡餅セットの斜視図、図１３の一部構造が異なる姿勢可変型仮固定具の斜視図に示す事例は、矩形平板型ベース２０中央より鏡餅形収納部２１を上向き膨出し、その中に餅食品２６を衛生的に収納した鏡餅型容器２を有し、該矩形平板型ベース２０と略同じ外郭寸法に設定した複数枚の矩形状面部３１，３３，〜３６からなり、同矩形平板型ベース２０を隠蔽状に外装可能であって、上面中央に鏡餅形収納部２１を露出可能とする装着孔ａ，ｅを穿孔し、後端左右角付近の適所に平面形Ｗ字状に折曲し、略垂直に立ち上げ可能な屏風体３２を一体化した装飾台本体３を設け、組み立て状態にある該装飾台本体３の屏風体３２より後方に露出する、台座部分後端縁３０に挟着可能なクリップ４０と、該クリップ４０に自在継ぎ手４１を介して一体化した定着体４２とからなる姿勢可変型仮固定具４を組み合わせてなるものとした、この考案の鏡餅セットにおける代表的な一実施例を示すものである。
【００４０】
図２および図３からも明確に把握できるとおり、この考案の鏡餅セット１の一部をなす鏡餅型容器２は、乳白色のポリエチレン製またはポリプロピレン製シートをブロー成型によって四角夫々をＲ面取りした矩形平板型ベース２０の中央より上下二段の外観をもった上下一体、鏡餅形収納部２１を上向き膨出、成型したものであり、同鏡餅形収納部２１の内がわには、該鏡餅形収納部２１裏面に開口する収納孔２２を通じ、脱酸素剤と共にポリエチレン製小袋に密封包装された餅食品２６を収納したものである。また、同鏡餅形収納部２１の上端中央に同心状配置となり、上端面外周壁に添って複数の嵌合用突起２５，２５，……が径方向に膨出された円柱状突部２４を膨出し、これとは別体のポリプロピレン製、射出成型品であって葉付き蜜柑の色、形を模した中空状疑似橙２７の底面中央に、該円柱状突部２４に嵌合可能な直径に設定した嵌着孔２８を穿設したものとし、それら嵌合用突起２５，２５，……を有する円柱状突部２４と嵌着孔２８とによって疑似橙２７用の着脱機構２３を形成したものとしている。
【００４１】
また、図１に明確に示すように、この考案の鏡餅セット１の一部となる装飾台本体３は、展開形状に裁断された一枚の厚紙からなるものであって当該鏡餅型容器２矩形平板型ベース２０と略同じ外郭寸法に設定した平板形状の後方左右角夫々を、後述する屏風体３２の支持位置を確定可能とするよう所定角度の面取りを施したものとし、同平板形状中央に鏡餅型容器２鏡餅形収納部２１が上向き貫通可能な直径に設定された装着孔ａを穿孔してなる屏風立設面部３１を有し、同屏風立設面部３１の鏡餅２背景がわとなる後方右角付近に、該屏風立設面部３１に平面形Ｖ字型の連続形状であるＷ字状に折曲して略垂直に立ち上げ可能な屏風体３２の基端左右幅の右がわ端縁が右脚部分を形成するよう（展開状態では所定角度に傾けた姿勢に）一体化したものとする。
【００４２】
該屏風体３２は、その立ち上げ姿勢高が鏡餅型容器２鏡餅形収納部２１より高くなる寸法に設定されたものとし、Ｗ字状に接曲する山折りおよび谷折り個所の夫々は、適宜折り目加工を施すか、または、ミシン目加工を施すかなどして正確且つ容易に折り曲げ操作可能なものに形成し、同屏風体３２の基端左右幅の左がわ端縁に、当該屏風立設面部３１の後方左角付近上面（図１中の二点鎖線で囲まれたハッチング範囲）に結合可能な連結脚部ｂを一体化、形成して同連結脚部ｂ裏面の二点鎖線で囲まれた白抜き範囲内に、粘着剤を塗布するか、または両面粘着テープの一面を貼着したものとし、同屏風体３２のＷ字状に接曲する左右幅中央の山折り個所基端付近に、逆Ｖ字状の切欠部ｃを形成したものとしている。同屏風体３２は、その表面に干支の絵や新年の挨拶を示す文字などが印刷、表示されたものとする。
【００４３】
また、該屏風立設面部３１の左辺には、当該鏡餅型容器ベース２０と略同じ外郭寸法に設定した平板形状であって当該鏡餅型容器ベース２０裏面に接合する如く同屏風立設面部３１に対し１８０度折り曲げ可能とする折り目部分を形成するよう、底蓋面部３３の対応する一辺を一体化し、その中央適所に前後方向に長い封止用スリットｄが穿孔されたものとしてあり、該底蓋面部３３の屏風立設面部３１が繋がる辺とは反対がわとなる辺に、当該矩形平板型ベース２０と略同じ外郭寸法に設定し、該屏風立設面部３１と同様に後方左右角部分が傾斜状に面取りされた平板形状であって同底蓋面部３３に対し１８０度折り曲げ可能とする折り目部分を形成し、中央に鏡餅形収納部２１が上向き貫通可能な装着孔ｅを穿孔してなる、屏風立設面部３１隠蔽用の装飾面部３４の対応する一辺を一体化したものとし、同装飾面部３４の表面に装飾用の色彩や模様などが印刷、表示されたものとしている。
【００４４】
さらに、該装飾面部３４の底蓋面部３３が繋がる辺とは反対がわとなる辺には、同装飾面部３４に対し１８０度折り曲げ可能とする折り目部分を形成し、当該底蓋面部３３封止用スリットｄに達する左右長寸法に設定されたものとし、その遊端がわに同封止用スリットｄに差込み可能であって、基端両がわ縁に鈎状凸部ｇ，ｇを有する係合爪ｆが一体化、形成された封止面部３５の対応する一辺を一体化したものとする一方、該装飾面部３４の前辺には、当該矩形平板型ベース２０と略同じ外郭寸法に設定した平板形状であって同装飾面部３４に対し１８０度折り曲げ可能な底外装面部３６の対応する一辺を折り目とするよう一体化したものとし、該底外装面部３６の外装面には、干支の影絵や西暦年または和暦年などを印刷、表示したものとする。
【００４５】
図１０および図１１に明確に示すように、この考案の鏡餅セット１の一部となる姿勢可変型仮固定具４は、後述する実施例の作用の項に示すように、組み立て状態にある該装飾台本体３の屏風体３２より後方に露出する、鏡餅型容器２矩形平板型ベース２０および各面部３１，３３，〜３６同士の積層からなる台座部分後端縁３０に上下から挟着可能な寸法、形状に設定されたクリップ４０と、該クリップ４０の操作基端の一方にボールジョイントからなる自在継ぎ手４１を介して一体化した略同一形状のクリップからなる定着体４２とからなり、より具体的には、店頭用ポップスタンドとして利用される例えば、特開平９−６８９２１号公報に「展示カード保持体用ばねクリップ」として開示された株式会社丸善製作所製のクリップホルダーを用いることができ、さらに、同姿勢可変型仮固定具４は、図１３に示すように、クリップ４０の左右幅を鏡餅型容器２矩形平板型ベース２０の左右幅寸法に近づけるよう幅広いものとし、定着体４２を円板状、四角板状、半球状、ブロック状またはその外の形状に設定された板片状部品または塊状部品とし、その設置面壁に両面粘着テープの一面を貼着し、同粘着テープの他面に剥離紙を装着してなるものに夫々変更したものとすることが可能である。
【００４６】
（実施例１の作用）
以上のとおりの構成からなるこの考案の鏡餅セット１は、図１中の展開状態にある装飾台本体３の屏風立設面部３１装着孔ａに、図３に示すよう餅食品２６を収納した鏡餅型容器２鏡餅形収納部２１を上向き姿勢、貫通状に装着して図４中に示すように、矩形平板型ベース２０上面を屏風立設面部３１裏面に接合状とし、屏風体３２を平面形Ｗ字状に折り曲げ、右側脚部分を（図１および図４中の波線に沿って）折り曲げて屏風立設面部３１に対し、略垂直姿勢となるよう立ち上げると共に、左がわの連結脚部ｂの粘着面を（剥離紙が貼着されている場合にはそれを剥がして）屏風立設面部３１上面、後方左角付近の対応個所（図１および図４中のハッチング範囲）に接着、固定したものとする。
【００４７】
底蓋面部３３は、図４中の実線矢印に示すように、屏風立設面部３１に装着した矩形平板型ベース２０の裏面に重ね合わせるよう１８０度折り曲げ、同矩形平板型ベース２０収納孔２２を閉鎖して餅食品２６を封入状とした後、図５中の実線矢印に示すよう鏡餅型容器２鏡餅形収納部２１を装飾面部３４の装着孔ｅに貫通し、該屏風立設面部３１上面に同装飾面部３４を重ね合わせ、屏風体３２連結脚部ｂを隠蔽状とした上、図６の実線矢印のように、封止面部３５を底蓋面部３３外がわ面に重なるよう折り畳み、その係合爪ｆを図７中に示すように、鈎状凸部ｇ，ｇが確り嵌合する位置まで底蓋面部３３封止用スリットｄに差し込み、同図７中に示す実線矢印の如く、底蓋面部３３、封止面部３５の外がわ面に底外装面部３６を折り重ね、図２に示したように、鏡餅型容器２鏡餅形収納部２１の円柱状突部２４に疑似橙２７嵌着孔２８を嵌合、装着して図８に示す状態に組み立てる。
こうして図８に示すよう組み合わせた鏡餅型容器２および装飾台本体３は、図９に示すよう姿勢可変型仮固定具４と一緒に、低密度ポリエチレン製の透明包装袋５に収容して密封状に包装し、工場出荷および店頭販売可能な鏡餅セット１となる。
【００４８】
当該鏡餅セット１を装飾、利用する場合には、図１０および図１１中に示すように、透明包装袋５から取り出した装飾台本体３（および鏡餅型容器２）の装飾台本体３の屏風体３２より後方に露出する、鏡餅型容器２矩形平板型ベース２０および各矩形状面部同士３１，３３，〜３６の積層からなる台座部分後端縁３０に姿勢可変型仮固定具４クリップ４０を挟着し、定着体４２を装飾対象物である家具や車内エアコンのルーバーなどに挟着すると共に、自在継ぎ手４１を捩り曲げ操作し、装飾台本体３（および鏡餅型容器２）の姿勢が所望の角度、位置となるよう調節して設置作業を完了する。また、図１２および図１３中に示す姿勢可変型仮固定具４の場合には、定着体４２の剥離紙を剥がして装飾対象物の適所に粘着、固定するようにする。
【００４９】
（実施例１の効果）
以上のような構成からなる実施例１の鏡餅セット１は、前記この考案の効果の項で記載の特徴に加え、図２中に示すよう鏡餅型容器２鏡餅形収納部２１上端中央に、嵌合用突起２５，２５，……を有する円柱状突部２４を形成し、これに疑似橙２７の嵌着孔２８を嵌着可能としてなる着脱機構２３を設け、疑似橙２７を簡便に着脱できるものとしてあるから、鏡餅型容器２鏡餅形収納部２１を図１中に示す装飾台本体３屏風立設面部３１の装着孔ａや同装飾面部３４の装着孔ｅに貫通、装着するときには、図４ないし図６中に示すよう疑似橙２７を装着せず、図８に示すよう装飾台本体３の組み立て作業が完了した後に、接着剤や粘着テープなどを必要とせず、簡単且つ迅速に組み込むことができ、生産効率を高めることができる上、購入者が鏡餅型容器２を装飾台本体３から取り出す場合にも、先に疑似橙２７を取り外すことで開封作業を平易に行うことができ、鏡餅型容器２に収納された餅食品２６を取り出した後にも、装飾台本体３を壊さずに、元通りに組み立て直して再び装飾に利用することができる。
【００５０】
加えて、図７中に示すように、封止面部３５係合爪ｆの基端縁両がわに鈎状凸部ｇ，ｇを形成したことで、底蓋面部３３の封止用スリットｄへの差込み嵌合、位置を確実に規制して封止面部３５と底蓋面部３３との包装をより確実なものとし、鏡餅型容器２、矩形平板型ベース２０の収納孔２２の閉鎖状態を一段と確実に保持可能なものとすることができる。
【００５１】
（結  び）
叙述の如く、この考案の鏡餅セットは、その新規な構成によって所期の目的を遍く達成可能とするものであり、しかも製造も容易で、従前からの上下一体型パック鏡餅では不可能とされていた個所への設置、装飾が可能となり、部品点数を最小限度に抑えることができ、軽量且つ低廉化して遥かに経済的なものとすることができることから、鏡餅の設置可能な場所を大幅に拡大し、個性豊かな装飾を好む若年世代や独身者は勿論、車内や工場内の機械など従来設置が困難であった所に鏡餅を供えたいと希望する人々に広く受け入れられ、食品業界、ホームセンター、カー用品業界などにおいても高く評価され、広範に渡って利用、普及していくものになると予想される。                                                                      
【図面の簡単な説明】
【００５２】
図面は、この考案の鏡餅セットの技術的思想を具現化した代表的な幾つかの実施例を示すものである。
【図１】展開状態にある装飾台本体を示す平面図である。
【図２】疑似橙を取り付ける鏡餅型容器を示す斜視図である。
【図３】餅食品を収納する鏡餅型容器を示す斜視図である。
【図４】屏風立設面部に装着する鏡餅型容器を示す斜視図である。
【図５】折り畳まれる装飾面部を示す斜視図である。
【図６】折り畳まれる封止面部を示す斜視図である。
【図７】折り畳まれる底外装面部を示す斜視図である。
【図８】装飾台本体に組み合わせられた鏡餅型容器を示す斜視図である。
【図９】透明包装袋で包装した鏡餅セットを示す斜視図である。
【図１０】姿勢可変型仮固定具の使用状態を示す斜視図である。
【図１１】姿勢可変型仮固定具の使用状態を拡大して示す斜視図である。
【図１２】一部に変更を加え透明包装袋で包装した鏡餅セットを示す斜視図である。
【図１３】一部に変更を加えた姿勢可変型仮固定具を示す斜視図である。
【符号の説明】
【００５３】
１      鏡餅セット
２      鏡餅型容器
２０    同  矩形平板型ベース
２１    同  鏡餅形収納部
２２    同  収納孔
２３    同  着脱機構
２４    同  円柱状突部
２５    同  嵌合用突起
２６    同  餅食品
２７    同  疑似橙
２８    同  嵌着孔
３      装飾台本体
３０    同  台座部分後端縁
３１    同  屏風立設面部
ａ    同  装着孔
３２    同  屏風体
ｂ      同  連結脚部
ｃ      同  切欠部
３３    同  底蓋面部
ｄ    同  封止用スリット
３４    同  装飾面部
ｅ    同  装着孔
３５    同  封止面部
ｆ    同  係合爪
ｇ    同  鈎状凸部
３６    同  底外装面部
４      姿勢可変型仮固定具
４０    同  クリップ
４１    同  自在継ぎ手
４２    同  定着体
５      透明包装袋                                                                                              
【図１】
0003140227.tif 000003
【図２】
0003140227.tif 000004
【図３】
0003140227.tif 000005
【図４】
0003140227.tif 000006
【図５】
0003140227.tif 000007
【図６】
0003140227.tif 000008
【図７】
0003140227.tif 000009
【図８】
0003140227.tif 000010
【図９】
0003140227.tif 000011
【図１０】
0003140227.tif 000012
【図１１】
0003140227.tif 000013
【図１２】
0003140227.tif 000014
【図１３】
0003140227.tif 000015